(57)【要約】【課題】本発明は、無垢の木の化粧打ち込み型枠を板セパレータで型枠組み固定するコンクリート構造の板塀を提供。【解決手段】図２に示すように、捨てコンクリート１４上に墨出しを行い、複数の化粧板で構成された化粧打ち込み型枠１の下部に防腐処理４を施し、片面に複数の蟻溝３を設けて、その蟻溝３に板セパレータ２を挿入して内外の化粧打ち込み型枠１を組み固定する。連結については図１に示すように、化粧打ち込み型枠１の接続部分に接続目地８を設けて、接続目地部材９を差し込んで化粧打ち込み型枠１を連結組み固定して、コンクリート６を充填して基礎と一体のコンクリート構造の板塀を構築することを特徴とする。【選択図】  図２
2008223322.tif 000002
【特許請求の範囲】
【請求項１】
板セパレータを用いたコンクリート構造の板塀であって、複数の化粧板で構成された化粧打ち込み型枠の片面に複数の蟻溝を設けて、板セパレータで内外の化粧打ち込み型枠を組み固定し、コンクリートを充填してコンクリート構造の板塀を構築することを特長とする、板セパレータを用いたコンクリート構造の板塀。
【請求項２】
前記、複数の化粧板で構成された化粧打ち込み型枠の下部に防腐処理を施し、片面に複数の蟻溝を設けて、板セパレータで内外の化粧打ち込み型枠を組み固定し、コンクリートを充填して基礎と一体のコンクリート構造の板塀を構築することを特長とする、板セパレータを用いたコンクリート構造の板塀。
【請求項３】
前記、化粧打ち込み型枠の蟻溝は木目と直角方向に複数の蟻溝を設けることを特長とする、請求項１〜２の化粧打ち込み型枠。
【請求項４】
前記、化粧打ち込み型枠内にコンクリートを充填することで、コンクリートは凝固乾燥して板セパレータと一体の化粧打ち込み型枠の伸縮を妨げない強固な蟻桟が形成されることを特徴とする、板セパレータを用いたコンクリート構造の板塀。
【請求項５】
前記、化粧打ち込み型枠内に補強部材を挿入するとともに、コンクリートを充填したことを特徴とする、請求項１〜２の板セパレータを用いたコンクリート構造の板塀。
【請求項６】
複数の穴を有する帯状で薄板の両側面を、化粧打ち込み型枠の蟻溝に対応する曲げ加工をした板セパレータで化粧打ち込み型枠を組み固定することを特徴とする、請求項１〜５記載の板セパレータ。
【請求項７】
前記、化粧打ち込み型枠の横連結については、化粧打ち込み型枠の接続部分に接続目地を設けて、接続目地部材を差し込んで化粧打ち込み型枠を連結組み固定して板セパレータを用いて型枠組みをなし、コンクリートを充填することを特徴とする、板セパレータを用いたコンクリート構造の板塀。
【発明の詳細な説明】
【技術分野】
【０００１】
本発明は、無垢の木の化粧打ち込み型枠を板セパレータで型枠組み固定するコンクリート構造の板塀に関するものである。
【背景技術】
【０００２】
従来は無垢の木の板塀は基礎の上にアンカーボールトで固定して構築されていたが、複雑で高度な技術が要求されると共に、無垢の木の腐食や変色など多くの問題もあり需要が激減している。現在、住宅の塀は化粧ブロック塀や金属製のエクステリア製品が大半使用されるようになった。しかしながら和風に溶け込むエクステリア製品は誕生していない。そのようななかで人工的に無垢の木や竹に見えるように加工されたエクステリア製品は好まれ利用されているが、本物の無垢の木の板塀に勝るものではない。無垢の木は条件が整えば半永久的に耐え得ることは古建築からも立証済みであり、構築工法で解決できるものである。構築される大半の住宅の中に和室が造られることや偽木が好まれることを考えても分かるように、無垢の木の需要は多大である。
【０００３】
他方、現在でも郊外や山村には和風の住宅が在来工法で構築されている。これらの和風住宅に添う無垢の木の板塀の開発は大切である。また、無垢の木を普及することは林業のためにも、地球温暖化防止のためにも大切である。
【０００４】
なお、本願発明に関連する公知技術としての文献を挙げることができない。
【発明の開示】
【発明が解決しようとする課題】
【０００５】
従来の塀の構築には次の問題があった。
和風住宅には金属製の塀や化粧ブロック塀は不釣合いである。
従来の無垢の木の板塀の構築工法では腐食防止や高度な技術の解消はできない。
従来の無垢の木の板塀の構築工法では長い工期とコスト高である。
従来の無垢の木の板塀や化粧ブロック塀は大地震などによる倒壊の不安がある。
【０００６】
本発明は以上のような従来の欠点に鑑みて、無垢の木の化粧打ち込み型枠をコンクリートで結合させた、敏速にかつ低コストで容易に構築できる板セパレータを用いたコンクリート構造の板塀を提供する。
【課題を解決するための手段】
【０００７】
本発明は、上記の課題を解決するためになされたもので、請求項１記載の、板セパレータを用いたコンクリート構造の板塀であって、複数の化粧板で構成された化粧打ち込み型枠の片面に複数の蟻溝を設けて、板セパレータで内外の化粧打ち込み型枠を組み固定し、コンクリートを充填してコンクリート構造の板塀を構築することを特長とする。このような構成とすれば、大地震でも倒壊しないコンクリート構造の板塀が敏速かつ低コストで構築できる。
【０００８】
請求項２記載の、複数の化粧板で構成された化粧打ち込み型枠の下部に防腐処理を施し、片面に複数の蟻溝を設けて、板セパレータで内外の化粧打ち込み型枠を組み固定し、コンクリートを充填して基礎と一体のコンクリート構造の板塀を構築することを特長とする。このような構成とすれば、布基礎を必要としない大地震でも倒壊しない板塀が敏速かつ低コストで構築できる。
【０００９】
請求項３記載の、化粧打ち込み型枠の蟻溝は木目と直角方向に複数の蟻溝を設けることを特長とする。このような構成とすれば、内外の化粧打ち込み型枠が板セパレータを挿入しつつ構築できると共に、化粧打ち込み型枠を強固に固定できる。
【００１０】
請求項４記載の、化粧打ち込み型枠内にコンクリートを充填することで、コンクリートは凝固乾燥して板セパレータと一体の化粧打ち込み型枠の伸縮を妨げない強固な蟻桟が形成されることを特徴とする。このような構成とすれば、乾燥したコンクリートと板セパレータが一体となって蟻桟の役割をなし化粧打ち込み型枠の伸縮を妨げないコンクリートと一体の強固な板塀が構築できる。
【００１１】
請求項５記載の、化粧打ち込み型枠内に補強部材を挿入するとともに、コンクリートを充填したことを特徴とする。このような構成とすれば、より強固なコンクリートと一体の板セパレータを用いたコンクリート構造の板塀が構築できる。
【００１２】
請求項６記載の、複数の穴を有する帯状で薄板の両側面を、化粧打ち込み型枠の蟻溝に対応する曲げ加工をした板セパレータで化粧打ち込み型枠を組み固定することを特徴とする。このような構成とすれば、それぞれの板セパレータの固定位置をずらすことで、化粧打ち込み型枠の横直線方向の歪みが解消できると共に、板塀の横方向の補強部材は不要となり、敏速かつ低コストで多種多様な板塀が構成また構築できる。
【００１３】
請求項７記載の、化粧打ち込み型枠の横連結については、化粧打ち込み型枠の接続部分に接続目地を設けて、接続目地部材を差し込んで化粧打ち込み型枠を連結組み固定して板セパレータを用いて型枠組みをなし、コンクリートを充填することを特徴とする。このような構成とすれば、化粧打ち込み型枠の連結組みが容易にかつ敏速に構築できる。
【発明の効果】
【００１４】
以上説明したように本発明によれば、大地震でも倒壊しない板塀が構築できると共に、和風の住宅にマッチした無垢の木の板塀が敏速かつ低コストで構築できる。また、金属笠木や笠木を瓦葺きにするなどの資材構成と着色で和風や洋風の板塀を構築することは容易であり、多種多様な無垢の木の板塀が構築できる。それら以外にも多種多様なエクステリア製品を構築することが可能であり選択の巾が広くなる。
【００１５】
他方、板セパレータの長さを化粧打ち込み型枠の巾にすることで、化粧打ち込み型枠の反りが防止できると共に、化粧打ち込み型枠の伸縮を妨げない構造となる。また、板セパレータの固定する位置をずらせて挿入することで、板セパレータが横方向の補強部材になるためコンクリート内の横方向の補強部材は不要となり、コストも下がり敏速な構築を可能にする。
【００１６】
その他、本発明の板セパレータを用いたコンクリート構造の板塀は、住宅で構築されるテラスの手摺や一般の構築物のバルコニーなどの手摺などとして利用ができる。しかも敏速かつ低コストで構築できることから大きな市場と需要は大きい。
【００１７】
以上、本発明の板セパレータを用いたコンクリート構造の板塀を内地材にすることで、地球温暖化による異常気象が危惧されている現在、林業過疎地の活性化や地球温暖化防止に小さな貢献ができる。
【発明を実施するための最良の形態】
【００１８】
以下、本発明の実施の形態を図面に基づき詳細に説明する。
【００１９】
図１〜図８は本発明の実施の形態に係り、図１は化粧打ち込み型枠で構築した板塀の横断面図、図２は化粧打ち込み型枠で基礎と一体に構築した板塀の縦断面図、図３は化粧打ち込み型枠で基礎と一体に構築した板塀の立面図、図４は布基礎上に化粧打ち込み型枠で構築した板塀の縦断面図、図５は布基礎上に化粧打ち込み型枠で構築した板塀の立面図、図６は化粧打ち込み型枠で構築した板塀の横断面詳細図、図７は化粧打ち込み型枠で基礎と一体に構築した板塀の下部縦断面詳細図、図８は布基礎上に化粧打ち込み型枠で構築した板塀の下部縦断面詳細図、図９は化粧打ち込み型枠で構築した板塀の上部縦断面詳細図（金属笠木仕様）、図１０は化粧打ち込み型枠で構築した板塀の上部縦断面詳細図（木製笠木仕様）、図１１は化粧打ち込み型枠で構築した板塀の上部縦断面詳細図（瓦笠木仕様）、図１２は化粧打ち込み型枠で構築した板塀の上部縦断面詳細図（洋瓦笠木仕様）、図１３は板セパレータの形状を示した透視図である。
【００２０】
本発明の実施形態については、捨てコンクリート１４上に墨出しを行い（又は布基礎上に）、木目と直角方向に複数の蟻溝３を設けた複数の化粧板で構成された化粧打ち込み型枠１と板セパレータ２を用いて型枠組みをなし、コンクリート６を充填してコンクリート構造の板塀を構築する。
【００２１】
以下、本発明の実施例について説明する。図１は化粧打ち込み型枠１で構築した板塀の横断面図で、木目と直角方向に複数の蟻溝３を設けた複数の化粧板で構成された化粧打ち込み型枠１の接続部分に接続目地８を設けて、接続目地部材９を差込み、板セパレータ２を用いて化粧打ち込み型枠１を連結組み固定してコンクリート６を充填したコンクリート構造の板塀の横断面図である。
【００２２】
図２は化粧打ち込み型枠１で基礎と一体に構築した板塀の縦断面図で、捨てコンクリート１４上に墨出しを行い、複数の化粧板で構成された化粧打ち込み型枠１の下部に防腐処理４を施した化粧打ち込み型枠１を立設して、その化粧打ち込み型枠１の片面に設けた複数の蟻溝３に板セパレータ２を挿入して内外の化粧打ち込み型枠１を組み固定し、コンクリート６を充填して基礎と一体のコンクリート構造の板塀を構築した、その縦断面図である。
【００２３】
図３は化粧打ち込み型枠１で基礎と一体に構築したコンクリート構造の板塀の立面図である。
【００２４】
図４は布基礎１０上に化粧打ち込み型枠１で構築した板塀の縦断面図で、布基礎１０の上に、複数の蟻溝３を設けた、複数の化粧板で構成された化粧打ち込み型枠１を立設し、板セパレータ２を挿入して型枠組みをして、コンクリート６を充填したコンクリート構造の板塀の縦断面図である。
【００２５】
図５は布基礎上に化粧打ち込み型枠１で構築した板塀の立面図である。
【００２６】
図６は化粧打ち込み型枠１で構築した板塀の横断面詳細図で、木目と直角方向に複数の蟻溝３を設けた化粧打ち込み型枠１の接続部分に接続目地８を設けて、接続目地部材９を差込み、板セパレータ２を用いて化粧打ち込み型枠１を連結組み固定して、コンクリート６を充填したコンクリート構造の板塀の横断面詳細図である。
【００２７】
図７は化粧打ち込み型枠１で基礎と一体に構築した板塀の下部縦断面詳細図で、捨てコンクリート１４上に墨出しを行い、複数の化粧板で構成された化粧打ち込み型枠１の下部に防腐処理４を施した化粧打ち込み型枠１を立設して、その化粧打ち込み型枠１の片面に設けた複数の蟻溝３に板セパレータ２を挿入して内外の化粧打ち込み型枠１を組み固定し、コンクリート６を充填して基礎と一体のコンクリート構造の板塀を構築した、その板塀の下部縦断面詳細図である。
【００２８】
図８は布基礎１０上に化粧打ち込み型枠１で構築した板塀の下部縦断面詳細図で、布基礎１０の上に、木目と直角方向に複数の蟻溝３を設けた、複数の化粧板で構成された化粧打ち込み型枠１を立設し、板セパレータ２を挿入して型枠組みをして、コンクリート６を充填したコンクリート構造の板塀の下部縦断面詳細図である。
【００２９】
図９は化粧打ち込み型枠１で構築した板塀の上部縦断面詳細図（金属笠木仕様）で、木目と直角方向に複数の蟻溝３を設けた、複数の化粧板で構成された化粧打ち込み型枠１を立設し、板セパレータ２を挿入して型枠組みをして、コンクリート６を充填したコンクリート構造の板塀の上部に金属笠木７仕様とした上部縦断面詳細図である。
【００３０】
図１０は化粧打ち込み型枠１で構築した板塀の上部縦断面詳細図（木製笠木仕様）で、木目と直角方向に複数の蟻溝３を設けた、複数の化粧板で構成された化粧打ち込み型枠１を立設し、板セパレータ２を挿入して型枠組みをして、コンクリート６を充填したコンクリート構造の板塀の上部に木製笠木１１仕様とした上部縦断面詳細図である。
【００３１】
図１１は化粧打ち込み型枠１で構築した板塀の上部縦断面詳細図（瓦笠木仕様）で、木目と直角方向に複数の蟻溝３を設けた、複数の化粧板で構成された化粧打ち込み型枠１を立設し、板セパレータ２を挿入して型枠組みをして、コンクリート６を充填したコンクリート構造の板塀の上部に瓦笠木１２仕様とした上部縦断面詳細図である。
【００３２】
図１２は化粧打ち込み型枠１で構築した板塀の上部縦断面詳細図（洋瓦笠木仕様）で、木目と直角方向に複数の蟻溝３を設けた、複数の化粧板で構成された化粧打ち込み型枠１を立設し、板セパレータ２を挿入して型枠組みをして、コンクリート６を充填したコンクリート構造の板塀の上部に洋瓦笠木１３仕様とした上部縦断面詳細図である。
【００３３】
図１３は板セパレータ２の形状を示した透視図である
【実施例１】
【００３４】
図２に示すように、捨てコンクリート１４上に墨出しを行い、複数の化粧板で構成された化粧打ち込み型枠１の下部に防腐処理４を施し、片面に木目と直角方向に複数の蟻溝３を設けて、その蟻溝３に板セパレータ２を挿入して内外の化粧打ち込み型枠１を組み固定する。連結については図１に示すように、化粧打ち込み型枠１の接続部分に接続目地８を設けて、接続目地部材９を差し込んで化粧打ち込み型枠１を連結組み固定して、コンクリート６を充填して基礎と一体のコンクリート構造の板塀を構築する。板セパレータ２の固定について詳しく説明すれば、それぞれの板セパレータの固定位置をずらすことで、化粧打ち込み型枠の横直線方向の歪みが解消できると共に、板塀の横方向の補強部材は不要となり、敏速かつ低コストで多種多様なコンクリート構造の板塀が構築できる。笠木については図９〜１２の笠木仕様で対応できる。
【実施例２】
【００３５】
他方、布基礎が構築されている場合、図４に示すように、布基礎上に複数の化粧板で構成された化粧打ち込み型枠１の片面に複数の蟻溝３を設けて、その蟻溝３に板セパレータ２を挿入して内外の化粧打ち込み型枠１を組み固定する。連結については図１に示すように、化粧打ち込み型枠１の接続部分に接続目地８を設けて、接続目地部材９を差し込んで化粧打ち込み型枠１を連結組み固定して、コンクリート６を充填してコンクリート構造の板塀を構築する。笠木については図９〜１２の笠木で対応できる。板セパレータ２の固定についての詳しい説明は実施例１と同じである。
【００３６】
以上、本発明の実施の形態及び実施例を説明したが、本発明の範囲はこれに限定されるものではない。例えば、化粧打ち込み型枠の蟻溝に対応する曲げ加工をした板セパレータと表記した通り曲げ形状を特定するものではない。使用目的に応じて変更するなど適宜選択されるものである。
【図面の簡単な説明】
【００３７】
【図１】本発明の化粧打ち込み型枠で構築した板塀の横断面図である。
【図２】化粧打ち込み型枠で基礎と一体に構築した板塀の縦断面図である。
【図３】化粧打ち込み型枠で基礎と一体に構築した板塀の立面図である。
【図４】布基礎上に化粧打ち込み型枠で構築した板塀の縦断面図である。
【図５】布基礎上に化粧打ち込み型枠で構築した板塀の立面図である。
【図６】化粧打ち込み型枠で構築した板塀の横断面詳細図である。
【図７】化粧打ち込み型枠で基礎と一体に構築した板塀の下部縦断面詳細図である。
【図８】布基礎上に化粧打ち込み型枠で構築した板塀の下部縦断面詳細図である。
【図９】化粧打ち込み型枠で構築した板塀の上部縦断面詳細図（金属笠木仕様）である
【図１０】化粧打ち込み型枠で構築した板塀の上部縦断面詳細図（木製笠木仕様）。
【図１１】化粧打ち込み型枠で構築した板塀の上部縦断面詳細図（瓦笠木仕様）。
【図１２】化粧打ち込み型枠で構築した板塀の上部縦断面詳細図（洋瓦笠木仕様）。
【図１３】板セパレータの形状を示した透視図である。
【符号の説明】
【００３８】
化粧打ち込み型枠
板セパレータ
蟻溝
防腐処理
補強部材
コンクリート
金属笠木
接続目地
接続目地部材
布基礎
木製笠木
瓦笠木
洋瓦笠木
捨てコンクリート
【図１】
2008223322.tif 000003
【図２】
2008223322.tif 000004
【図３】
2008223322.tif 000005
【図４】
2008223322.tif 000006
【図５】
2008223322.tif 000007
【図６】
2008223322.tif 000008
【図７】
2008223322.tif 000009
【図８】
2008223322.tif 000010
【図９】
2008223322.tif 000011
【図１０】
2008223322.tif 000012
【図１１】
2008223322.tif 000013
【図１２】
2008223322.tif 000014
【図１３】
2008223322.tif 000015